(57)【要約】【課題】操作入力部の突出量を小さく抑えることができるカーソル移動入力装置の提供。【解決手段】電子機器の所定の外面１３に配置される操作入力部２１を有するとともに外面１３に対し直交する中心軸２２を中心に所定範囲内で揺動可能に設けられたレバー部材２５と、レバー部材２５を前記所定範囲内における中間所定位置に位置するように付勢する付勢部材３３と、レバー部材２５の前記中間所定位置からの一方向の揺動を検出する一方向揺動検出手段４８と、レバー部材２５の前記中間所定位置からの逆方向の揺動を検出する逆方向揺動検出手段とを有する。【選択図】　　図１
2004022489.tif 000002
【特許請求の範囲】
【請求項１】
電子機器に設けられて該電子機器の画面に表示されたカーソルを移動させる操作入力を行うためのカーソル移動入力装置であって、
前記電子機器の所定の外面に配置される操作入力部を有するとともに前記外面に対し直交する中心軸を中心に所定範囲内で揺動可能に設けられたレバー部材と、
該レバー部材を前記所定範囲内における中間所定位置に位置するように付勢する付勢部材と、
前記レバー部材の前記中間所定位置からの一方向の揺動を検出する一方向揺動検出手段と、
前記レバー部材の前記中間所定位置からの逆方向の揺動を検出する逆方向揺動検出手段と、
を有することを特徴とするカーソル移動入力装置。
【請求項２】
前記一方向揺動検出手段および前記逆方向揺動検出手段は、揺動する前記レバー部材に押圧されることにより変位する方向検出用変位部を有する方向検出用導電ゴムと、前記方向検出用変位部に接触することで電気的導通をとる方向検出用接触部を有する方向検出用プリント基板とを含むことを特徴とする請求項１記載のカーソル移動入力装置。
【請求項３】
前記方向検出用導電ゴムおよび前記方向検出用プリント基板は、ともに、前記外面側に設けられた他の入力装置用のものと共用化されていることを特徴とする請求項２記載のカーソル移動入力装置。
【請求項４】
前記レバー部材が前記外面に対し直交方向に移動可能とされるとともに、該レバー部材の前記直交方向の移動を検出する移動検出手段を有しており、
前記レバー部材および前記移動検出手段は、電子機器の画面に表示されたカーソル位置の表示内容の選択を決定する操作入力を行うための決定操作入力装置を構成することを特徴とする請求項１乃至３のいずれか一項記載のカーソル移動入力装置。
【請求項５】
前記移動検出手段は、移動する前記レバー部材に押圧されることにより変位する決定検出用変位部を有する決定検出用導電ゴムと、前記決定検出用変位部に接触することで電気的導通をとる決定検出用接触部を有する決定検出用プリント基板とを含むことを特徴とする請求項４記載のカーソル移動入力装置。
【請求項６】
前記決定検出用導電ゴムおよび前記決定検出用プリント基板は、ともに、前記外面側に設けられた他の入力装置用のものと共用化されていることを特徴とする請求項５記載のカーソル移動入力装置。
【請求項７】
情報を表示する画面と入力装置とを備えた携帯型電子機器であって、前記入力装置はカーソル移動入力装置として請求項１乃至７のいずれか一項記載のカーソル移動入力装置を含むことを特徴とする携帯型電子機器。
【発明の詳細な説明】
【０００１】
【発明の属する技術分野】
本発明は、特に電子辞書等の携帯型の電子機器に用いて好適なカーソル移動入力装置、およびそれを用いた携帯型電子機器に関する。
【０００２】
【従来の技術】
電子辞書等の携帯型の電子機器では、例えば多数の表示の中から所望の表示を探して決定するために、上下方向にカーソルを移動させたりカーソルの移動にともなって画面をスクロールさせたりすることが多く行われる。このような操作を効率よく行うために、一つの操作入力部を上方向に動かすことでカーソルを上方向に移動させるとともに下方向に動かすことでカーソルを下方向に移動させるカーソル移動入力装置（いわゆるジョグダイヤル）が設けられている。ところで、多数の表示の中から所望の表示を探して選択する際には、探している最中に所望の表示をカーソルが通り過ぎてしまうことが多くあり、このように通り過ぎた表示を戻す際のカーソルの方向切り替えの操作性を高めるために、上記したカーソル移動入力装置では、操作入力部が一つとされている。
【０００３】
この種のカーソル移動入力装置には、例えば、図７に示すように、電子機器１００の主操作面１０１とは異なる所定の一側面１０２に配置される操作入力部１０３を有するとともにこの所定の一側面１０２に対し平行な中心軸を中心に回転可能に設けられたダイヤル部材１０４を有し、このダイヤル部材１０４を回転させることでカーソルを移動させるとともにダイヤル部材１０４を内側に押すことで選択決定を行うものや、図８に示すように、電子機器１０５の主操作面１０６に配置される操作入力部１０７を有するとともにこの主操作面１０６に対し平行な中心軸を中心に回転可能に設けられたレバー部材１０８を有し、このレバー部材１０８を揺動させることでカーソルを移動させるとともにレバー部材１０８を内側に押すことで選択決定を行うものがある。
【０００４】
【発明が解決しようとする課題】
しかしながら、上記いずれの装置においても、電子機器の操作入力部が設けられる外面に対し平行な中心軸を中心にダイヤル部材あるいはレバー部材を回転させるものであるため、操作入力部の突出量を小さくすると、操作入力の力を十分に受けることができず、ダイヤル部材あるいはレバー部材を確実に回転あるいは揺動させることができなくなってしまう。このため、操作入力部を比較的大きく突出させる必要があり、その結果、操作入力部が邪魔になったり、ぶつけて破損してしまうという問題があった。
【０００５】
したがって、本発明は、操作入力部の突出量を小さく抑えることができるカーソル移動入力装置の提供を目的とする。
【０００６】
【課題を解決するための手段】
上記目的を達成するために、本発明のカーソル移動入力装置は、電子機器に設けられて該電子機器の画面に表示されたカーソルを移動させる操作入力を行うためのものであって、前記電子機器の所定の外面に配置される操作入力部を有するとともに前記外面に対し直交する中心軸を中心に所定範囲内で揺動可能に設けられたレバー部材と、該レバー部材を前記所定範囲内における中間所定位置に位置するように付勢する付勢部材と、前記レバー部材の前記中間所定位置からの一方向の揺動を検出する一方向揺動検出手段と、前記レバー部材の前記中間所定位置からの逆方向の揺動を検出する逆方向揺動検出手段とを有することを特徴としている。
【０００７】
これにより、操作入力部が設けられる外面に対し直交する中心軸を中心に所定範囲内で揺動可能に設けられたレバー部材を、操作入力部を操作することによって付勢部材の付勢力に抗して一方向に揺動させると、一方向揺動検出手段がこれを検出してカーソルを一方向に移動させる。また、操作入力部を操作することによってレバー部材を付勢部材の付勢力に抗して逆方向に揺動させると、逆方向揺動検出手段がこれを検出してカーソルを逆方向に移動させる。ここで、レバー部材が操作入力部が設けられる外面に対し直交する中心軸を中心に揺動するものであるため、操作入力部の外面からの突出量を大きくしなくても、操作入力部で操作入力の力を十分に受けることができる。
【０００８】
ここで、前記一方向揺動検出手段および前記逆方向揺動検出手段は、揺動する前記レバー部材に押圧されることにより変位する方向検出用変位部を有する方向検出用導電ゴムと、前記方向検出用変位部に接触することで電気的導通をとる方向検出用接触部を有する方向検出用プリント基板とを含むことを特徴とする構成にしてもよい。
【０００９】
このように構成すれば、操作入力部を操作することによって付勢部材の付勢力に抗してレバー部材を揺動させると、レバー部材が方向検出用導電ゴムの方向検出用変位部を押圧して変位させ方向検出用プリント基板の方向検出用接触部に接触させて電気的導通をとり、カーソルを移動させることになる。ここで、このようにレバー部材と方向検出用導電ゴムと方向検出用プリント基板とを備える構成であるため、方向検出用導電ゴムおよび方向検出用プリント基板については他の入力装置の導電ゴムおよびプリント基板と共用化することができる。
【００１０】
そして、前記方向検出用導電ゴムおよび前記方向検出用プリント基板を、ともに、前記外面側に設けられた他の入力装置用のものと共用化すれば、コストを低減できるとともに構造も簡素となる。
【００１１】
加えて、前記レバー部材が前記外面に対し直交方向に移動可能とされるとともに、該レバー部材の前記直交方向の移動を検出する移動検出手段を有しており、前記レバー部材および前記移動検出手段は、電子機器の画面に表示されたカーソル位置の表示内容の選択を決定する操作入力を行うための決定操作入力装置を構成することを特徴とする構成にしてもよい。
【００１２】
このように構成すれば、操作入力部を操作することによって付勢部材の付勢力に抗してレバー部材を揺動させカーソルを移動させて、所望の表示にカーソルを一致させた後、レバー部材を外面に対し直交方向に押して移動させると、これを移動検出手段が検出して、カーソル位置の表示内容の選択を決定する操作入力を検出することになる。この選択決定の操作入力は、カーソルの移動のためのレバー部材の揺動範囲を含む平面に対し異なる方向にレバー部材を移動させることになるため、誤操作が生じにくい。
【００１３】
さらに、前記移動検出手段を、移動する前記レバー部材に押圧されることにより変位する決定検出用変位部を有する決定検出用導電ゴムと、前記決定検出用変位部に接触することで電気的導通をとる決定検出用接触部を有する決定検出用プリント基板とを含むことを特徴とする構成としてもよい。
【００１４】
このように構成すれば、所望の表示にカーソルを一致させた後、レバー部材を外面に対し直交方向に押して移動させると、レバー部材が決定検出用導電ゴムの決定検出用変位部を押圧して変位させ決定検出用プリント基板の決定検出用接触部に接触させて電気的導通をとり、カーソル位置の表示内容の選択を決定する操作入力を検出することになる。ここで、このようにレバー部材と決定検出用導電ゴムと決定検出用プリント基板とを備える構成であるため、決定検出用導電ゴムおよび決定検出用プリント基板については他の入力装置の導電ゴムおよびプリント基板と共用化することができる。
【００１５】
そして、前記決定検出用導電ゴムおよび前記決定検出用プリント基板を、ともに、前記外面側に設けられた他の入力装置用のものと共用化すれば、コストを低減できるとともに構造も簡素となる。
【００１６】
【発明の実施の形態】
本発明の一実施形態のカーソル移動入力装置を図１〜図６を参照して以下に説明する。
【００１７】
図１〜図３に示す本実施形態のカーソル移動入力装置１０は、例えば携帯型電子辞書等の電子機器１１に表示されたカーソルを移動させる操作入力を行うために電子機器１１に設けられるものである。電子機器１１は、その外殻を構成するケース１２の上面が、テンキーを含む入力装置の複数のキー１４（図１において一つのみ図示）が設けられる主操作面（所定の外面）１３とされており、この主操作面１３の該主操作面１３に沿う方向における上部に液晶素子からなる図示せぬ画面が設けられている。
【００１８】
ここで、電子機器１１の主操作面１３には、上記した入力装置とは異なる位置に、若干凹む凹部１５が形成されており、この凹部１５内の所定位置には主操作面１３と直交する回転中心穴１６が形成されている。また、凹部１５内の他の所定位置には回転中心穴１６を中心とした円弧状の第１案内溝１７が形成されており、凹部１５内の第１案内溝１７に対し反対側にも回転中心穴１６を中心とした円弧状の第２案内溝１８が形成されている。ここで、第１案内溝１７は凹部１５内の右側に、第２案内溝１８は凹部１５内の左側に形成されていて、第１案内溝１７の中央と回転中心穴１６の中心と第２案内溝１８の中央とを結んだ線は、ケース１２の左右方向に延在している。
【００１９】
そして、本実施形態のカーソル移動入力装置１０は、主操作面１３に平行をなして凹部１５内に収納される細長い略板状の操作入力部２１と、操作入力部２１の所定位置にこの操作入力部２１から垂直に突出形成されて回転中心穴１６に回転可能に嵌合させられる中心軸２２と、操作入力部２１の他の所定位置にこの操作入力部２１から垂直に突出形成されて第１案内溝１７に移動可能に挿入させられる、先端が半球状の案内軸２３と、操作入力部２１の案内軸２３に対し反対側にこの操作入力部２１から垂直に突出形成されて第２案内溝１８に移動可能に挿入させられる案内部２４とを有するレバー部材２５を備えている。
【００２０】
このレバー部材２５の案内軸２３には、中心軸２２に対し反対方向に突出し主操作面１３の裏面側に係合することで案内軸２３の第１案内溝１７からの抜け出しを防止する係止爪２６が形成されている。また、案内部２４にも、中心軸２２に対し反対方向に突出し主操作面１３の裏面側に係合することで案内部２４の第２案内溝１８からの抜け出しを防止する係止爪２７が形成されている。なお、レバー部材２５は、これら係止爪２６，２７が主操作面１３の裏面側に係合した状態から主操作面１３に対し直交方向に所定量下降可能となっている。すなわち、レバー部材２５は、主操作面１３に対し直交方向に移動可能とされている。なお、この移動時に、レバー部材２５はその中心軸２２が回転中心穴１６に案内される。
【００２１】
レバー部材２５の操作入力部２１には、案内軸２３の同軸上かつ反対側に球面状をなして若干突出する第１操作凸部２９が形成されており、中心軸２２の同軸上かつ反対側にも球面状をなして若干突出する第２操作凸部３０が形成されている。
【００２２】
以上のレバー部材２５は、中心軸２２を中心に案内軸２３が第１案内溝１７の範囲内で移動することになり、これにより、主操作面１３に対し直交する中心軸２２を中心に所定範囲内で揺動可能に設けられている。ここで、このレバー部材２５は、操作入力部２１と中心軸２２と係止爪２６を含む案内軸２３と係止爪２７を含む案内部２４と第１操作凸部２９と第２操作凸部３０とを有する形状にプラスチックで一体成形されるものである。なお、凹部１５は、その形状がレバー部材２５の揺動範囲にほぼ一致させられている。
【００２３】
カーソル移動入力装置１０は、レバー部材２５を前記所定範囲内における中間所定位置具体的には中央位置に位置するように付勢するコイルスプリング（付勢部材）３３を有している。このコイルスプリング３３は、レバー部材２５の係止爪２７と主操作面１３の裏面に設けられた支持突起３４との間に介装される引っ張りバネであり、レバー部材２５に対し他の外力が加わらない状態ではレバー部材２５を前記中央位置に位置する状態に保持している。なお、このコイルスプリング３３に換えて、図４に示す板バネ３５やトーションスプリング等の他の付勢部材を設けたりすることが可能である。
【００２４】
ケース１２の内部には、主操作面１３側に導電ゴム（方向検出用導電ゴム，決定検出用導電ゴム）３６が設けられ、主操作面１３に対し反対側にプリント基板（方向検出用プリント基板，決定検出用プリント基板）３７が設けられている。
【００２５】
導電ゴム３６は、中心軸２２の主操作面１３に対し反対側となる位置に、主操作面１３側に位置することにより中心軸２２を主操作面１３側に付勢してレバー部材２５の係止爪２６，２７を主操作面１３の裏面側に当接させた状態に維持する一方、レバー部材２５が主操作面１３に対し直交方向下方に押圧されるとこのレバー部材２５の中心軸２２で押圧されて主操作面１３から離間する反対方向に変位する決定検出用変位部４０を有している。また、プリント基板３７には、このように主操作面１３に対し反対方向に変位した決定検出用変位部４０に接触することで電気的導通をとる一方、主操作面１３の方向に変位する決定検出用変位部４０が離間することで電気的に遮断される決定検出用接触部４１が形成されている。
【００２６】
すなわち、決定検出用変位部４０を含む導電ゴム３６と、決定検出用接触部４１を含むプリント基板３７の一部とが、レバー部材２５の中心軸２２の主操作面１３に対する直交方向の移動を検出する移動検出部（移動検出手段）４２を構成している。
【００２７】
また、導電ゴム３６は、図３に示すように、中央位置に位置するレバー部材２５の案内軸２３に対し揺動方向における一側具体的には主操作面１３に沿う方向における上側に、レバー部材２５が主操作面１３に沿う方向における上側に揺動させられることで同上側に移動する案内軸２３で押圧されてプリント基板３７側に変位する一方、この状態からレバー部材２５が主操作面１３に沿う方向における下方向に揺動させられると案内軸２３による押圧が解除されて主操作面１３側に変位する方向検出用変位部４４を有している。プリント基板３７には、プリント基板３７の方向に変位した方向検出用変位部４４に接触することで電気的導通をとる一方、主操作面１３の方向に変位する方向検出用変位部４４が離間することで電気的に遮断される方向検出用接触部４５が形成されている。
【００２８】
さらに、導電ゴム３６は、中央位置に位置するレバー部材２５の案内軸２３に対し揺動方向における逆側具体的には主操作面１３に沿う方向における下側に、レバー部材２５が主操作面１３に沿う方向における下側に揺動させられることで同下側に移動する案内軸２３で押圧されてプリント基板３７側に変位する一方、この状態からレバー部材２５が主操作面１３に沿う方向における上方向に揺動させられると案内軸２３による押圧が解除されて主操作面１３側に変位する方向検出用変位部４６を有している。プリント基板３７には、プリント基板３７の方向に変位した方向検出用変位部４６に接触することで電気的導通をとる一方、主操作面１３の方向に変位する方向検出用変位部４６が離間することで電気的に遮断される方向検出用接触部４７が形成されている。
【００２９】
すなわち、方向検出用変位部４４を含む導電ゴム３６と、方向検出用接触部４５を含むプリント基板３７の一部とが、レバー部材２５の中央位置からの主操作面１３に沿う方向における上方向（一方向）の揺動を検出する上方向揺動検出部（一方向揺動検出手段）４８を構成しており、方向検出用変位部４６を含む導電ゴム３６と、方向検出用接触部４７を含むプリント基板３７の一部とが、レバー部材２５の中央位置からの主操作面１３に沿う方向における下方向（逆方向）の揺動を検出する下方向揺動検出部（逆方向揺動検出手段）４９を構成している。
【００３０】
なお、両方の方向検出用変位部４４，４６には、横方向に移動する案内軸２３の先端による押圧で、縦方向であるプリント基板３７側に移動し易いように傾斜面５０がそれぞれ形成されている。
【００３１】
そして、導電ゴム３６には、上記した決定検出用変位部４０および方向検出用変位部４４，４６に加えて、他の入力装置のキー１４の押圧でプリント基板３７側に移動する変位部５２が形成されており、プリント基板３７には、上記した決定検出用接触部４１および方向検出用接触部４５，４７に加えて、他の入力装置の変位部５２の変位で電気的導通をとる接触部５３が形成されている。言い換えれば、導電ゴム３６およびプリント基板３７は、方向検出用と決定検出用と他の入力装置用とで共用化されている。
【００３２】
このような構成の本実施形態のカーソル移動入力装置１０においては、使用者が操作入力部２１の第１操作凸部２９を主操作面１３に沿う方向における下から上に押圧操作することによってレバー部材２５をコイルスプリング３３の付勢力に抗して主操作面１３に沿う方向における上方向に揺動させると、上方向揺動検出部４８の方向検出用変位部４４が案内軸２３で押圧されて方向検出用接触部４５に接触することになり、これによって、図示せぬＣＰＵが、カーソルを画面の上方向（一方向）に移動させる。このとき、上方向揺動検出部４８の方向検出用変位部４４が案内軸２３で押圧されて方向検出用接触部４５に接触し続ける限り、カーソルは画面の上方向に移動し続ける。勿論、カーソルが画面の上方向の限界位置まで移動するとＣＰＵは画面の表示内容を下側にスクロールさせる。一方、使用者がレバー部材２５への上記押圧操作を解除すると、コイルスプリング３３の付勢力でレバー部材２５は自動的に中央位置に戻り、上方向揺動検出部４８の方向検出用変位部４４が方向検出用接触部４５から離間する。これによって、図示せぬＣＰＵが、カーソルの移動を停止させる。
【００３３】
また、使用者が操作入力部２１の第１操作凸部２９を主操作面１３に沿う方向における上から下に押圧操作することによってレバー部材２５をコイルスプリング３３の付勢力に抗して主操作面１３に沿う方向における下方向に揺動させると、図５に示すように、下方向揺動検出部４９の方向検出用変位部４６が案内軸２３で押圧されて方向検出用接触部４７に接触することになり、これによって、図示せぬＣＰＵが、カーソルを画面の下方向（逆方向）に移動させる。このとき、下方向揺動検出部４９の方向検出用変位部４６が案内軸２３で押圧されて方向検出用接触部４７に接触し続ける限り、カーソルが画面の下方向に移動し続ける。勿論、カーソルが画面の下方向の限界位置まで移動するとＣＰＵは画面の表示内容を上側にスクロールさせる。一方、使用者がレバー部材２５への上記押圧操作を解除すると、コイルスプリング３３の付勢力でレバー部材２５は自動的に中央位置に戻り、下方向揺動検出部４９の方向検出用変位部４６が方向検出用接触部４７から離間する。これによって、図示せぬＣＰＵが、カーソルの移動を停止させる。
【００３４】
そして、以上の操作を適宜行って、所望の表示にカーソルを一致させた後、使用者がレバー部材２５を主操作面１３に対し直交方向下方に押して移動させると、レバー部材２５の中心軸２２が、導電ゴム３６の決定検出用変位部４０を押圧しその付勢力に抗して変位させプリント基板３７の決定検出用接触部４１に接触させて電気的導通をとることになり、これによって、図示せぬＣＰＵは、カーソル位置の表示内容の選択を決定する操作入力を検出することになる。その結果、レバー部材２５と、決定検出用変位部４０および決定検出用接触部４１を含む移動検出部４２とが、電子機器１１の画面に表示されたカーソル位置の表示内容の選択を決定する操作入力を行うための決定操作入力装置５１を構成している。
【００３５】
以上に述べた本実施形態のカーソル移動入力装置１０によれば、レバー部材２５が操作入力部２１が設けられる主操作面１３に対し直交する中心軸２２を中心に揺動するものであるため、操作入力部２１の主操作面１３からの突出量を大きくしなくても、操作入力部２１で操作入力の力を十分に受けることができる。したがって、操作入力部２１の突出量を０にすることを含み小さく抑えることができる。
【００３６】
また、導電ゴム３６およびプリント基板３７を、それぞれ方向検出用と選択決定検出用と他の入力装置用とで共用化することができる。したがって、コストを低減できるとともに構造も簡素となる。
【００３７】
加えて、選択決定の操作入力は、カーソルの移動のためのレバー部材２５の揺動範囲を含む平面に対し異なる方向にレバー部材２５を移動させることになるため、誤操作が生じにくい。
【００３８】
なお、以上の実施形態においては、レバー部材２５が細長い板状の操作入力部２１を有する場合を例にとり説明したが、図６に示すようにレバー部材２５の操作入力部２１を略円板形状等、幅を広くすることで、揺動の全範囲においてレバー部材２５で第１案内溝１７を覆うようにすることが可能である。
【００３９】
【発明の効果】
以上詳述したように、本発明のカーソル移動入力装置によれば、操作入力部が設けられる外面に対し直交する中心軸を中心に所定範囲内で揺動可能に設けられたレバー部材を、操作入力部を操作することによって付勢部材の付勢力に抗して一方向に揺動させると、一方向揺動検出手段がこれを検出してカーソルを一方向に移動させる。また、操作入力部を操作することによってレバー部材を付勢部材の付勢力に抗して逆方向に揺動させると、逆方向揺動検出手段がこれを検出してカーソルを逆方向に移動させる。ここで、レバー部材が操作入力部が設けられる外面に対し直交する中心軸を中心に揺動するものであるため、操作入力部の外面からの突出量を大きくしなくても、操作入力部で操作入力の力を十分に受けることができる。したがって、操作入力部の突出量を０にすることを含み小さく抑えることができる。
【００４０】
ここで、前記一方向揺動検出手段および前記逆方向揺動検出手段は、揺動する前記レバー部材に押圧されることにより変位する方向検出用変位部を有する方向検出用導電ゴムと、前記方向検出用変位部に接触することで電気的導通をとる方向検出用接触部を有する方向検出用プリント基板とを含むことを特徴とする構成にしてもよい。
【００４１】
このように構成すれば、操作入力部を操作することによってレバー部材を付勢部材の付勢力に抗して揺動させると、レバー部材が、方向検出用導電ゴムの方向検出用変位部を押圧して変位させ方向検出用プリント基板の方向検出用接触部に接触させて電気的導通をとり、カーソルを移動させることになる。ここで、このようにレバー部材と方向検出用導電ゴムと方向検出用プリント基板とを備える構成であるため、方向検出用導電ゴムおよび方向検出用プリント基板については他の入力装置の導電ゴムおよびプリント基板と共用化することができる。
【００４２】
そして、前記方向検出用導電ゴムおよび前記方向検出用プリント基板を、ともに、前記外面側に設けられた他の入力装置用のものと共用化すれば、コストを低減できるとともに構造も簡素となる。
【００４３】
加えて、前記レバー部材が前記外面に対し直交方向に移動可能とされるとともに、前記レバー部材の前記直交方向の移動を検出する移動検出手段を有しており、前記レバー部材および前記移動検出手段は、電子機器の画面に表示されたカーソル位置の表示内容の選択を決定する操作入力を行うための決定操作入力装置を構成することを特徴とする構成にしてもよい。
【００４４】
このように構成すれば、操作入力部を操作することによってレバー部材を付勢部材の付勢力に抗して揺動させてカーソルを移動させて、所望の表示にカーソルを一致させた後、レバー部材を外面に対し直交方向に押して移動させると、これを移動検出手段が検出して、カーソル位置の表示内容の選択を決定する操作入力を検出することになる。この選択決定の操作入力は、カーソルの移動のためのレバー部材の揺動範囲を含む平面に対し異なる方向にレバー部材を移動させることになるため、誤操作が生じにくい。
【００４５】
さらに、前記移動検出手段を、移動する前記レバー部材に押圧されることにより変位する決定検出用変位部を有する決定検出用導電ゴムと、前記決定検出用変位部に接触することで電気的導通をとる決定検出用接触部を有する決定検出用プリント基板とを含むことを特徴とする構成としてもよい。
【００４６】
このように構成すれば、所望の表示にカーソルを一致させた後、レバー部材を外面に対し直交方向に押して移動させると、レバー部材が、決定検出用導電ゴムの決定検出用変位部を押圧して変位させ決定検出用プリント基板の決定検出用接触部に接触させて電気的導通をとり、カーソル位置の表示内容の決定操作の入力を検出することになる。ここで、このようにレバー部材と決定検出用導電ゴムと決定検出用プリント基板とを備える構成であるため、決定検出用導電ゴムおよび決定検出用プリント基板については他の入力装置の導電ゴムおよびプリント基板と共用化することができる。
【００４７】
そして、前記決定検出用導電ゴムおよび前記決定検出用プリント基板を、ともに、前記外面側に設けられた他の入力装置用のものと共用化すれば、コストを低減できるとともに構造も簡素となる。
【図面の簡単な説明】
【図１】本発明の一実施形態のカーソル移動入力装置を示す正断面図である。
【図２】本発明の一実施形態のカーソル移動入力装置を示す平面図である。
【図３】本発明の一実施形態のカーソル移動入力装置を示す側断面図である。
【図４】本発明の一実施形態のカーソル移動入力装置のレバー部材等の別の例を示す平面図である。
【図５】本発明の一実施形態のカーソル移動入力装置を示す側断面図であって、レバー部材が下方向に揺動した状態を示すもの。
【図６】本発明の一実施形態のカーソル移動入力装置の変形例を示す平面図である。
【図７】従来の一のカーソル移動入力装置を含む電子機器を示す平面図である。
【図８】従来の別のカーソル移動入力装置を含む電子機器を示すもので、（ａ）は平面図、（ｂ）は側面図である。
【符号の説明】
１０　カーソル移動入力装置
１１　電子機器
１３　主操作面（所定の外面）
２１　操作入力部
２２　中心軸
２３　案内軸
２５　レバー部材
３３　コイルスプリング（付勢部材）
３６　導電ゴム（方向検出用導電ゴム，決定検出用導電ゴム）
３７　プリント基板（方向検出用プリント基板，決定検出用プリント基板）
４０　決定検出用変位部
４１　決定検出用接触部
４２　移動検出部（移動検出手段）
４４，４６　方向検出用変位部
４５，４７　方向検出用接触部
４８　上方向揺動検出部（一方向揺動検出手段）
４９　下方向揺動検出部（逆方向揺動検出手段）
５１　決定操作入力装置
【図１】
2004022489.tif 000003
【図２】
2004022489.tif 000004
【図３】
2004022489.tif 000005
【図４】
2004022489.tif 000006
【図５】
2004022489.tif 000007
【図６】
2004022489.tif 000008
【図７】
2004022489.tif 000009
【図８】
2004022489.tif 000010